(57)【特許請求の範囲】
【請求項１】
槽本体内に配設した陽極及び陰極間に陽イオン交換樹脂層を収容してなる電解槽を備え、前記電解槽内に脱塩処理された脱塩処理水を供給するとともに、前記陽極及び陰極間に直流電圧を印加して、前記電解槽内にて電解処理して生成されたオゾン水を前記電解槽外に導出するようにしたオゾン水生成装置であり、前記電解槽は、前記陽極及び陰極にて中央室及び左右の側室に区画されている槽本体と、同槽本体の前記中央室に収容されている粒状または繊維状の陽イオン交換樹脂からなる陽イオン交換樹脂層と、同陽イオン交換樹脂層と前記陽極及び陰極との間に介在する一対の透水性の隔膜とを備え、前記陽極及び陰極は通水性の電極であって、前記中央室の上流側には脱塩処理水の給水管が接続され、前記各側室の上流側には非脱塩処理水の各導入管が接続され、かつ、前記各側室の下流側には各導出管が接続されていて、前記槽本体内に、前記中央室から前記陽極及び陰極を透過して前記各側室に至る水流が形成されることを特徴とするオゾン水生成装置。
【請求項２】
槽本体内に配設した陽極及び陰極間に陽イオン交換樹脂層を収容してなる電解槽を備え、前記電解槽内に脱塩処理された脱塩処理水を供給するとともに、前記陽極及び陰極間に直流電圧を印加して、前記電解槽内にて電解処理して生成されたオゾン水を前記電解槽外に導出するようにしたオゾン水生成装置であり、前記電解槽は、前記陽極と前記陰極により形成された空室を有する槽本体と、同槽本体の前記空室に収容されている粒状または繊維状の陽イオン交換樹脂からなる陽イオン交換樹脂層と、前記槽本体の上流側にて前記空室に開口する給水口と、前記槽本体の下流側にて前記陽極側に偏倚して開口する導出口及び前記陰極側に偏倚して開口する導出口を備え、前記槽本体の前記給水口には脱塩処理水の給水管が接続され、前記槽本体の前記各導出口には各導出管が接続されていて、前記槽本体内に、前記陽イオン交換樹脂層内を前記各導出口の一方に向かう水流と他方に向かう水流が形成されることを特徴とするオゾン水生成装置。
【請求項３】
請求項１または２に記載のオゾン水生成装置において、前記給水管は、水道水または井戸水等の非脱塩処理水を純水化する純水器を備え、同純水器で処理された純水を前記脱塩処理水として使用することを特徴とするオゾン水生成装置。
【発明の詳細な説明】
【０００１】
【発明の属する技術分野】
本発明は、脱塩処理した水（例えば、水道水等から純水器で塩素分を除去した水、あるいは蒸留処理した水）を電気分解してオゾン水を生成する電解式のオゾン水生成装置に関する。
【０００２】
【従来の技術】
この種の装置は、例えば特公平３−３６９１２号公報に示されていて、この公報に示されているオゾン水生成装置は、陽イオン交換樹脂層を直流電圧が印加される陽極及び陰極で挟んで電解槽に収容し、この電解槽に脱塩処理された水を供給するとともに、陽極及び陰極間に直流電圧を印加してオゾン水を生成するようになっている。
【０００３】
【発明が解決しようとする課題】
上記した公報に示されているオゾン水生成装置においては、電極が通水性及び通気性のある素材でできていて、陽極の背面に水が供給されるようになっているため、陽極の背面に供給された水の一部は、陽極を通過して陽極と陽イオン交換樹脂層との接触面に浸透し、この接触面にて電解されてオゾンを発生させる。発生したオゾンは陽極を通過して陽極の背面に溶出し、ここを流れる水に徐々に溶けてオゾン水となる。一方、陰極側では陽イオン交換樹脂層を通過した水素イオンが陰極と陽イオン交換樹脂層との接触面にて水素となり、この水素は気体の状態で陰極を通過して陰極の背面に至り、排気路を通して排出される。
【０００４】
ところで、陽極と陽イオン交換樹脂層との接触面で発生したオゾンは、陽極の背面に溶出して、陽極の背面に供給される水をオゾン水とするものの、接触面においては積極的な水の流れはないため、ここに気泡となって残留するおそれがあり、これが両電極間の通電を阻害してオゾンの発生効率を悪くするという問題がある。また、接触面にて発生したオゾンが素早く陽極を通過して水に溶けることはなく、短時間で高濃度のオゾン水を生成することは困難である。一方、陰極と陽イオン交換樹脂層との接触面で発生した水素は、気体の状態で陰極を通過し、陰極の背面から排出されるものの、接触面には水の流れはないため、ここに気泡となって残留するおそれがあり、これによっても両電極間の通電を阻害してオゾンの発生効率を悪くするという問題がある。
【０００５】
本発明は、上記した問題に対処すべくなされたものであり、本発明に係るオゾン水生成装置は、槽本体内に配設した陽極及び陰極間に陽イオン交換樹脂層を収容してなる電解槽を備え、前記電解槽内に脱塩処理された脱塩処理水を供給するとともに、前記陽極及び陰極間に直流電圧を印加して、前記電解槽内にて電解処理して生成されたオゾン水を前記電解槽外に導出するようにしたオゾン水生成装置である。しかして、本発明の請求項１に係るオゾン水生成装置においては、前記電解槽は、前記陽極及び陰極にて中央室及び左右の側室に区画されている槽本体と、同槽本体の前記中央室に収容されている粒状または繊維状の陽イオン交換樹脂からなる陽イオン交換樹脂層と、同陽イオン交換樹脂層と前記陽極及び陰極との間に介在する一対の透水性の隔膜を備え、前記陽極及び陰極は通水性の電極であって、前記中央室の上流側には脱塩処理水の給水管が接続され、前記各側室の上流側には非脱塩処理水の各導入管が接続され、かつ、前記各側室の下流側には各導出管が接続されていて、前記槽本体内に、前記中央室から前記陽極及び陰極を透過して前記各側室に至る水流が形成されることを特徴とするものである。また、本発明の請求項２に係るオゾン水生成装置においては、前記電解槽は、前記陽極と前記陰極間に形成された空室を有する槽本体と、同槽本体の前記空室に収容されている粒状または繊維状の陽イオン交換樹脂からなる陽イオン交換樹脂層と、前記槽本体の上流側にて前記空室に開口する給水口と、前記槽本体の下流側にて前記陽極側に偏倚して開口する導出口及び陰極側に偏倚して開口する導出口を備え、前記槽本体の前記給水口には脱塩処理水の給水管が接続され、かつ、前記槽本体の前記各導出口には各導出管が接続されていて、前記槽本体内に、前記陽イオン交換樹脂層内を前記各導出口の一方に向かう水流と他方に向かう水流が形成されることを特徴とするものである。本発明に係る各オゾン水生成装置においては、前記給水管に、水道水または井戸水等の非脱塩処理水を純水化する純水器を介装して、同純水器で処理された純水を前記脱塩処理水として使用するようにすることができる。
【０００６】
【発明の作用効果】
本発明に係る各オゾン水生成装置においては、槽本体の給水口を通して陽イオン交換樹脂層内に供給される脱塩処理水は両電極の対向面間を流れて電解され、水素イオンと水酸化物イオンが発生する。水素イオンは陰極側へと導かれ、陰極に接触して水素となり、水酸化物イオンは陽極側へと導かれ、陽極に接触して酸素及びオゾンとなる。
【０００７】
ところで、本発明の請求項１に係るオゾン水生成装置においては、陽イオン交換樹脂層内で電解されて生成された一方の水（酸性水）は陽極を透過して一方の側室に至る水流を形成し、また、他方の水（アルカリ性水）は陰極を透過して他方の側室に至る水流を形成する。このため、陽極と陽イオン交換樹脂層との接触面にて発生したオゾンは、この水流によって接触面から積極的に洗い流され、陽極に対応して設けた一方の側室に向けて流れる水（酸性水）に溶けてこの水をオゾン水とする。また、陰極と陽イオン交換樹脂層との接触面にて発生した水素の微細な気泡は、この水流によって接触面から積極的に洗い流され、陰極に対応して設けた他方の側室に向けて流れる水（アルカリ性水）によって排出される。
【０００８】
したがって、各電極と陽イオン交換樹脂層との接触面にて発生するオゾンや水素は、気泡となって接触面に残留することがほとんどないため、両電極間の通電を阻害することがなく、オゾンの発生効率（すなわち、オゾン水の生成効率）を高めることができる。また、陽極側にて発生したオゾンは上記した酸性水の水流中に積極的に溶けこみ、同水流によって積極的に導出されるため、高濃度のオゾン水を短時間に生成することができる。
【０００９】
また、当該オゾン水生成装置においては、陽イオン交換樹脂層を収容する中央室の側部に、陽極を透過する水流を受入れる側室と、陰極を透過する水流を受入れる側室を設け、各側室に水道水または井戸水等の非脱塩処理水を流通させるように構成して、陽イオン交換樹脂層内にて生成したオゾン水（酸性水）の導出管への導出、及び、アルカリ性水の導出管への導出には、各側室を流動する非脱塩処理水が機能するように構成している。このため、陽イオン交換樹脂層内へ供給する脱塩処理水は、オゾン水生成のために必要な最小限の水量でよくて、脱塩処理された高価な水の使用量を減らすことができて、ランニングコストを抑えることができる。純水器を設けた場合には、純水化する水の量を抑えることができるため、純水器の寿命を延ばすことができて、これによってもランニングコストを抑えることができる。
【００１０】
本発明の請求項２に係るオゾン水生成装置においては、槽本体内に、陽イオン交換樹脂層内を各導出口の一方に向かう水流と他方に向かう水流を形成するように構成して、請求項１に係るオゾン水生成装置を構成する各側室を省略し、かつ、各側室を流動させる非脱塩処理水の使用を省略している。このため、請求項１に係るオゾン水生成装置と同等に機能するオゾン水生成装置を、請求項１に係るオゾン水生成装置に比して簡単な構造で安価に提供することができるいう利点がある。
【００１１】
本発明に係る各オゾン水生成装置においては、給水管に、水道水または井戸水等の非脱塩処理水を純水化する純水器を介装して、同純水器で処理された純水を前記脱塩処理水として使用するように構成することができる。当該構成によれば、水道水または井戸水等の非脱塩処理水を脱塩処理することができることは勿論のこと、非脱塩処理水中のカルシウムイオン、マグネシウムイオン等も除去することができるため、カルシウムイオン、マグネシウムイオン等が陽イオン交換樹脂層に付着せず、両電極間の通電の阻害を防止できるとともに、陽イオン交換樹脂層の機能を長期間良好に維持することができて、陽イオン交換樹脂層を長期間交換することなく、または、再生することなく、効率良くオゾン水を生成することができる。
【００１２】
【発明の実施の形態】
以下に本発明の一実施形態を図面に基づいて説明する。図１は本発明によるオゾン水生成装置の一実施形態を示していて、このオゾン水生成装置は、内部に供給される水を電解する電解槽１０と、この電解槽１０へ供給される水を純水化する純水器２０と、電解槽１０へ直流電圧を印加する電源装置３０によって構成されている。
【００１３】
電解槽１０は、槽本体１１と、この槽本体１１内を３つの室Ｒ１，Ｒ２，Ｒ３に区画する陽極１２及び陰極１３と一対の隔膜１４，１５を備えていて、槽本体１１の側部上方には、導出口１１ｂ，１１ｃがそれぞれ室Ｒ１，Ｒ３に開口するように設けられ、正面側部及び背面側部下方には、給水口１１ａ１，１１ａ２が室Ｒ２に開口するように設けられている。また、導出口１１ｂ，１１ｃには導出管Ｐ２，Ｐ３がそれぞれ接続され、給水口１１ａ１，１１ａ２には給水管Ｐ１が先端で分岐管Ｐ１ｂ，Ｐ１ｃに分岐して接続されるようになっている。陽極１２及び陰極１３は、ポーラスな電極であり、その対向面には数μ〜数十μの小孔を有する透水性の高い隔膜１４，１５がそれぞれ設けられていて、両隔膜１４，１５間の室Ｒ２内部には製造コストの低い粒状（粒径は任意であり、約１ｍｍ程度でもよく、ペレット状も含む）の陽イオン交換樹脂を満たして陽イオン交換樹脂層１６が形成されて通水可能になっている。なお、両隔膜１４，１５は、粒状の陽イオン交換樹脂で構成された陽イオン交換樹脂層１６を保持する目的で設けられているため、陽極１２及び陰極１３で保持可能とすれば、これを省略して実施することも可能である。
【００１４】
給水管Ｐ１は、主管部Ｐ１ａの一端が水道管（図示しない）に接続され、他端が分岐管Ｐ１ｂ，Ｐ１ｃとして給水口１１ａ１，１１ａ２にそれぞれ接続されるようになっていて（図２参照）、主管部Ｐ１ａには純水器２０が介装されている。
【００１５】
純水器２０は、給水管Ｐ１の主管部Ｐ１ａに介装されていて、給水管Ｐ１を流れる水道水を内蔵されたイオン交換樹脂にて脱塩処理して純水化するもので、脱塩処理された純水を室Ｒ２に供給するようになっている。電源装置３０は、陽極１２及び陰極１３間に電解用の直流電圧を印加するためのもので、正極には陽極１２が接続され負極には陰極１３が接続されるようになっている。
【００１６】
上記のように構成した本実施形態においては、陽イオン交換樹脂層１６に向けて給水管Ｐ１から供給される純水は両電極１２，１３の対向面間を流れて電解され、水素イオンと水酸化物イオンとなる。水素イオンは陰極１３側へと導かれ、陰極１３に接触して水素となり、水酸化物イオンは陽極１２側へと導かれ、陽極１２に接触して酸素及びオゾンとなる。
【００１７】
ところで、給水管Ｐ１から供給される純水の一部は、陽極１２と陽イオン交換樹脂層１６との接触面に沿って流れる水流となり、陽極１２と陽イオン交換樹脂層１６との接触面にて発生したオゾンは、この水流によって接触面から積極的に洗い流され、導出管Ｐ２に向けて流れる水（酸性水）に溶けてこの水をオゾン水とする。また、給水管Ｐ１から供給される純水の一部は、陰極１３と陽イオン交換樹脂層１６との接触面に沿って流れる水流となり、陰極１３と陽イオン交換樹脂層１６との接触面にて発生した水素の微細な気泡は、この水流によって接触面から積極的に洗い流され、導出管Ｐ３に向けて流れる水（アルカリ性水）によって排出される。
【００１８】
したがって、各電極１２，１３と陽イオン交換樹脂層１６との接触面にて発生するオゾンや水素は、気泡となって接触面に残留することがほとんどないため、両電極１２，１３間の通電を阻害することがなく、オゾンの発生効率（すなわち、オゾン水の生成効率）を高めることができる。また、陽極１２側にて発生したオゾンは上記した酸性水の水流中に積極的に溶けこみ、同水流によって積極的に導出されるため、高濃度のオゾン水を短時間に生成することができる。
【００１９】
また、上記した積極的な水流によって両電極１２，１３は常に冷却されるため、両電極１２，１３の電極表面の部分的昇熱を防止できて両電極１２，１３の耐久性を向上させることができる。また、両電極１２，１３間での電解によって陽極１２側では酸性水が生成され、この酸性水中にオゾンが溶けるため、溶媒のｐＨ値が低い程その溶媒への溶解度が高くなるというオゾンの特性から、高濃度のオゾン水を生成することができる。
【００２０】
また、本実施形態においては、陽イオン交換樹脂層１６を製造コストの低い粒状の陽イオン交換樹脂で構成したため、上記したオゾンや水素は、陽イオン交換樹脂層１６を構成する粒状陽イオン交換樹脂の粒間を上記した水流とともに通り抜け、最終的には導出管Ｐ２，Ｐ３にそれぞれ導かれて、陽イオン交換樹脂層１６内に残留することがなく、陽イオン交換樹脂層１６を膜状の陽イオン交換樹脂で構成した場合に生じる問題（オゾンや水素が、各接触面から各電極１２，１３と陽イオン交換樹脂層１６との間の複雑に入り組んだ隙間に浸入し、この隙間よりも大きな気泡となって各電極１２，１３と陽イオン交換樹脂層１６との隙間に残留し、最終的には気泡がたまり、電解に必要な通電が困難となってオゾンの生成効率が低下するといった問題）を解消することができるという効果が得られるとともに、製造コストの高い膜状の陽イオン交換樹脂で構成した場合に比して安価に実施することができる。
【００２１】
また、水道管に接続された給水管Ｐ１に純水器２０を接続したため、水道水に含まれる塩素イオンを除去することができて脱塩処理ができることは勿論のこと、カルシウムイオン、マグネシウムイオン等も除去することができるため、カルシウムイオン、マグネシウムイオン等が陽イオン交換樹脂層１６に付着せず、両電極１２，１３間の通電の阻害を防止できるとともに、陽イオン交換樹脂層１６の機能を長期間良好に維持することができて、陽イオン交換樹脂層１６を長期間交換することなく（あるいは再生することなく）効率良くオゾン水を生成することができる。
【００２２】
上記実施形態においては、陽イオン交換樹脂層１６を粒状の陽イオン交換樹脂で構成したが、これを線径約０．０５ｍｍ程度の繊維（長繊維又はフェルト状に成形された短繊維）状の陽イオン交換樹脂（製造コストが粒状の陽イオン交換樹脂と同等である）で構成して実施することも可能である。この場合には、水が繊維に沿ってすみずみまで行きわたるため、粒状の陽イオン交換樹脂で構成した場合に比して、水の流れがスムーズになり、室Ｒ２内に安定した流量の水を流すことができて効率よくオゾン水を生成することができる。
【００２３】
また、上記実施形態においては、陽イオン交換樹脂層１６と各電極１２，１３との接触面にて発生するオゾン及び水素を、給水管Ｐ１から供給される純水で洗い流すように実施したが、図１の仮想線にて示したように、槽本体１１の底部に室Ｒ１，Ｒ３にそれぞれ開口する導入口１１ｄ，１１ｅを設け、この導入口１１ｄ，１１ｅに導入管Ｐ４，Ｐ５を接続して室Ｒ１，Ｒ３に水道水を供給するように実施してもよい。なお、この場合には、室Ｒ２内に水道水が入らないようにするために、電極１２の室Ｒ１側及び電極１３の室Ｒ３側に１０〜５０μｍの小孔を有する隔膜を設ける必要がある。この場合には、陽極１２側にて生成されて室Ｒ１に流れ出すオゾン水は、導入管Ｐ４から供給される水道水に合流して導出管Ｐ２に向けて搬送され、また、陰極１３側にて生成されて室Ｒ３に流れ出す水素の微細な気泡を含んだ水は、導入管Ｐ５から供給される水道水に合流して導出管Ｐ３に向けて搬送される。したがって、給水管Ｐ１を通して供給される純水は、両電極１２，１３と陽イオン交換樹脂層１６との接触面に積極的な水流を生じさせればよく、オゾン水生成のために必要な最小限の水量でよいため、高価な純水の使用量を減らすことができて、ランニングコストを抑えることができ、純水化する水の量を抑えることができるため、純水器２０の寿命を延ばすことができて、これによってもランニングコストを抑えることができる。なお、この場合、導入管Ｐ５を設けることなく実施することも可能であり、導入管Ｐ５及び室Ｒ３を設けることなく実施することも可能である。
【００２４】
図３は、本発明によるオゾン水生成装置の他の実施形態を示していて、このオゾン水生成装置は、内部に供給される水を電解する電解槽１１０と、この電解槽１１０へ供給される水道水を純水化する純水器１２０と、電解槽１１０へ直流電圧を印加する電源装置１３０によって構成されている。
【００２５】
電解槽１１０は、槽本体１１１と、この槽本体１１内に対向配設された陽極１１２及び陰極１１３とを備えていて、槽本体１１１の上部には陽極１１２及び陰極１１３の略中間に仕切板１１１ｄが設けられ、側部上方には導出口１１１ｂ，１１１ｃがそれぞれ対向した位置に設けられ、下方には、給水口１１１ａが設けられている。また、導出口１１１ｂ，１１１ｃには導出管Ｐ１２，Ｐ１３がそれぞれ接続され、給水口１１１ａには給水管Ｐ１１が接続されるようになっている。陽極１１２及び陰極１１３は、通気性及び通水性のない電極であり、槽本体１１１に密に組み付けられていて、両電極１１２，１１３間には粒径約１ｍｍ程度の粒状で通水可能な陽イオン交換樹脂で満たされた陽イオン交換樹脂層１１６が仕切板１１１ｄの下端まで形成されている。給水管Ｐ１１は、一端が水道管（図示しない）に接続され、他端がて給水口１１１ａに接続されるようになっていて、その途中には純水器１２０が介装されている。
【００２６】
純水器１２０は、給水管Ｐ１１の途中に介装されていて、給水管Ｐ１１を流れる水道水を内蔵されたイオン交換樹脂にて脱塩処理して純水化するもので、脱塩処理された純水を槽本体１１１に供給するようになっている。電源装置１３０は、陽極１１２及び陰極１１３間に電解用の直流電圧を印加するためのもので、正極には陽極１１２が接続され負極には陰極１１３側が接続されるようになっている。
【００２７】
上記のように構成した本実施形態においては、陽イオン交換樹脂層１１６に向けて給水管Ｐ１１から供給される純水は両電極１１２，１１３の対向面間を流れて電解され、水素イオンと水酸化物イオンとなる。水素イオンは陰極１１３側へと導かれ、陰極１１３に接触して水素となり、水酸化物イオンは陽極１１２側へと導かれ、陽極１１２に接触して酸素及びオゾンとなる。
【００２８】
ところで、給水管Ｐ１１から供給される純水の一部は、陽極１１２と陽イオン交換樹脂層１１６との接触面に沿って流れる水流となり、陽極１１２と陽イオン交換樹脂層１１６との接触面にて発生したオゾンは、この水流によって接触面から積極的に洗い流され、導出管Ｐ１２に向けて流れる水（酸性水）に溶けてこの水をオゾン水とする。また、給水管Ｐ１１から供給される純水の一部は、陰極１１３と陽イオン交換樹脂層１１６との接触面に沿って流れる水流となり、陰極１１３と陽イオン交換樹脂層１１６との接触面にて発生した水素の微細な気泡は、この水流によって接触面から積極的に洗い流され、導出管Ｐ１３に向けて流れる水（アルカリ性水）によって排出される。
【００２９】
したがって、各電極１１２，１１３と陽イオン交換樹脂層１１６との接触面にて発生するオゾンや水素は、気泡となって接触面に残留することがほとんどないため、両電極１１２，１１３間の通電を阻害することがなく、オゾンの発生効率（すなわち、オゾン水の生成効率）を高めることができる。また、陽極１１２側にて発生したオゾンは上記した酸性の水流中に積極的に溶けこみ、同水流によって積極的に導出されるため、高濃度のオゾン水を短時間に生成することができる。
【００３０】
また、上記した積極的な水流によって両電極１１２，１１３は常に冷却されるため、両電極１１２，１１３の電極表面の部分的昇熱を防止できて両電極１１２，１１３の耐久性を向上させることができる。また、両電極１１２，１１３間での電解によって陽極１１２側では酸性水が生成され、この酸性水中にオゾンが溶けるため、溶媒のｐＨ値が低い程その溶媒への溶解度が高くなるというオゾンの特性から、高濃度のオゾン水を生成することができる。
【００３１】
また、本実施形態においては、陽イオン交換樹脂層１１６を製造コストの低い粒状の陽イオン交換樹脂で構成したため、上記したオゾンや水素は、陽イオン交換樹脂層１１６を構成する粒状陽イオン交換樹脂の粒間を上記した水流とともに通り抜け、最終的には導出管Ｐ１２，Ｐ１３にそれぞれ導かれて、陽イオン交換樹脂層１１６内に残留することがなく、陽イオン交換樹脂層１１６を膜状の陽イオン交換樹脂で構成した場合に生じる問題（オゾンや水素が、各接触面から各電極１１２，１１３と陽イオン交換樹脂層１１６との間の複雑に入り組んだ隙間に浸入し、この隙間よりも大きな気泡となって各電極１１２，１１３と陽イオン交換樹脂層１１６との隙間に残留し、最終的には気泡がたまり、電解に必要な通電が困難となってオゾンの生成効率が低下するといった問題）を解消することができるという効果が得られるとともに、製造コストの高い膜状の陽イオン交換樹脂で構成した場合に比して安価に実施することができる。
【００３２】
また、水道管に接続された給水管Ｐ１１に純水器１２０を接続したため、水道水に含まれる塩素イオンを除去することができて脱塩処理ができることは勿論のこと、カルシウムイオン、マグネシウムイオン等も除去することができるため、カルシウムイオン、マグネシウムイオン等が陽イオン交換樹脂層１１６に付着せず、両電極１１２，１１３間の通電の阻害を防止できるとともに、陽イオン交換樹脂層１１６の機能を長期間良好に維持することができて、陽イオン交換樹脂層１１６を長期間交換することなく（あるいは再生することなく）効率良くオゾン水を生成することができる。
【００３３】
上記実施形態（図３）においては、陽イオン交換樹脂層１１６を粒状の陽イオン交換樹脂で構成したが、これを線径約０．０５ｍｍ程度の繊維（長繊維又はフェルト状に成形された短繊維）状の陽イオン交換樹脂で構成して実施することも可能である。この場合には、水が繊維に沿ってすみずみまで行きわたるため、粒状の陽イオン交換樹脂で構成した場合に比して、水の流れがスムーズになり、電解槽１１０内に安定した流量の水を流すことができて効率よくオゾン水を生成することができる。
【図面の簡単な説明】
【図１】  本発明によるオゾン水生成装置の一実施形態を示す断面図である。
【図２】  図１に示した実施形態の左側面図である。
【図３】  本発明によるオゾン水生成装置の他の実施形態を示す断面図である。
【符号の説明】
１０，１１０…電解槽、１１，１１１…槽本体、１２，１１２…陽極、１３，１１３…陰極、１６，１１６…陽イオン交換樹脂層、２０，１２０…純水器、３０，１３０…電源装置、Ｐ１，Ｐ１１…給水管、Ｐ２，Ｐ１２，Ｐ３，Ｐ１３…導出管、Ｐ４，Ｐ５…導入管。
【図１】
0003774032.tif 000002
【図２】
0003774032.tif 000003
【図３】
0003774032.tif 000004